(57)【要約】【課題】ＬＣＤバックライトのランプを駆動するためのインバータに関する。【解決手段】ランプに流れる電流に相応する第１検出電圧と第１基準電圧が入力されその誤差に該当する第１誤差電圧を出力する第１誤差増幅部と、ランプに印加される電圧に相応する第２検出電圧と第２基準電圧が入力されその誤差に該当する第２誤差電圧を出力する第２誤差増幅部と、第２検出電圧が第３基準電圧より大きい場合、第１検出電圧が入力される第１誤差増幅部を接地させ第２検出電圧が第２誤差増幅部に入力されるようにし、第２検出電圧が第３基準電圧より小さい場合、第１検出電圧が第１誤差増幅部に入力されるようにし第２検出電圧が入力される第２誤差増幅部を接地させるフィードバック選択部と、第１誤差電圧及び第２誤差電圧のうち一つによりデューティが制御されたパルス信号を生成するランプ制御パルス生成部と、を含むＬＣＤバックライトインバータを提供する。【選択図】図２
2011181521.tif 000002
【特許請求の範囲】
【請求項１】
ランプに流れる電流に相応する第１検出電圧と既に設定された第１基準電圧が入力され相互を比較してその誤差に該当する第１誤差電圧を出力する第１誤差増幅部と、
前記ランプに印加される電圧に相応する第２検出電圧と既に設定された第２基準電圧が入力され相互を比較してその誤差に該当する第２誤差電圧を出力する第２誤差増幅部と、
前記第２検出電圧が既に設定された第３基準電圧より大きい場合、前記第１検出電圧が入力される前記第１誤差増幅部の入力端を接地させ前記第２検出電圧が前記第２誤差増幅部に入力されるようにし、前記第２検出電圧が前記第３基準電圧より小さい場合、前記第１検出電圧が前記第１誤差増幅部に入力されるようにし前記第２検出電圧が入力される前記第２誤差増幅部の入力端を接地させるフィードバック選択部と、
前記第１誤差電圧及び前記第２誤差電圧のうち一つによりデューティが制御されたパルス信号を生成するランプ制御パルス生成部と、
を含むＬＣＤバックライトインバータ。
【請求項２】
前記第１誤差増幅部は、
前記第１検出電圧が反転入力端に印加され前記第１基準電圧が非反転入力端に印加される第１誤差増幅機と、
前記第１誤差増幅機の反転入力端と出力端との間に連結されたキャパシタを含むことを特徴とする請求項１に記載のＬＣＤバックライトインバータ。
【請求項３】
前記第２誤差増幅部は、
前記第２検出電圧が反転入力端に印加され前記第２基準電圧が非反転入力端に印加される第２誤差増幅機と、
前記第２誤差増幅機の反転入力端と出力端との間に連結されたキャパシタを含むことを特徴とする請求項１に記載のＬＣＤバックライトインバータ。
【請求項４】
前記フィードバック選択部は、
前記第２検出電圧と前記第３基準電圧を比較して前記第２検出電圧がより大きい場合ハイ信号を出力する第１比較機と、
前記第１比較機の出力がハイの場合、前記第１検出電圧が印加される前記第１誤差増幅部の入力端を接地させる第１スイッチと、
前記第１比較機の出力がローの場合、前記第２検出電圧が印加される前記第２誤差増幅部の入力端を接地させる第２スイッチと、を含むことを特徴とする請求項１に記載のＬＣＤバックライトインバータ。
【請求項５】
前記第１誤差増幅部は、その入力端のうち一つが接地された場合出力端の抵抗が無限大になり、前記第２誤差増幅部は、その入力端のうち一つが接地された場合出力端の抵抗が無限大になることを特徴とする請求項１に記載のＬＣＤバックライトインバータ。
【請求項６】
前記ランプ制御パルス生成部は、
所定の周波数の三角波を生成する三角波発振機と、
前記第１誤差電圧及び第２誤差電圧のうち一つと前記三角波発振機から出力される三角波を比較して、その比較結果によりデューティが定められたパルス信号を生成する第２比較部と、を含むことを特徴とする請求項１に記載のＬＣＤバックライトインバータ。
【発明の詳細な説明】
【技術分野】
【０００１】
本発明は、液晶表示装置（以下、"ＬＣＤ"とする）のバックライトに採用されたランプを駆動するためのインバータに関するものであって、さらに詳しくは、ランプに過度な電圧が印加される場合に発生するランプの損傷及びランプの寿命の短縮を防ぐことが出来る過電圧保護の機能を有するＬＣＤバックライトインバータに関する。
【背景技術】
【０００２】
一般的にＬＣＤは、自体で発光が不可能なためその後面からＬＣＤの全面に光を照射できるバックライトが採用される。現在まで大型ＬＣＤ用バックライトの場合、冷陰極蛍光ランプ（Ｃｏｌｄ  Ｃａｔｈｏｄｅ  Ｆｌｕｏｒｅｓｃｅｎｔ  Ｌａｍｐ：ＣＣＦＬ）が主に採用されており、該ランプを駆動するためのインバータを共に備える。特に、ＬＣＤのバックライトに採用されたランプの駆動時にランプの明るさを一定に維持することが非常に重要で、このためインバータは、ランプの電流をフィードバックしてランプ電流を一定に維持するための回路が適用される。また、ランプに過度な電圧が印加される場合、ランプとインバータ回路を保護するための過電圧保護回路が共に適用される。
【０００３】
図１は、ランプ電流フィードバック回路及び過電圧保護回路を有する従来のＬＣＤバックライトインバータを図示した回路図である。
【０００４】
図１に図示された通り、従来のＬＣＤバックライトインバータは、ランプ（未図示）から電流に相応する電圧がフィードバックされ、該フィードバック電圧と既に設定された基準電圧Ｖｒｅｆ１とを比較してその差に該当する電圧を出力する誤差増幅部１１と、上記誤差増幅部１１の出力電圧によりデューティが制御されたパルス信号を出力するランプ制御パルス生成部１２とを含む。さらに、従来のＶＣＤバックライトインバータは、ランプ（未図示）に印加される電圧に相応する電圧がフィードバックされ、該フィードバック電圧と既に設定された基準電圧Ｖｒｅｆ２を比較してランプ電圧が上記基準電圧Ｖｒｅｆ２より大きい場合過電圧保護信号を出力する過電圧保護部１３を含む。
【０００５】
上記誤差増幅部１１は、ランプ電流に相応するフィードバック電圧が反転入力端から入力され、基準電圧Ｖｒｅｆ１が非反転入力端から入力される誤差増幅機１１２と、上記誤差増幅機１１２の反転入力端と出力端との間に連結されたキャパシタ１１３からなる。また、上記ランプ制御パルス生成部１２は、所定の周波数の三角波を生成する三角波発振機１２１と上記三角波発振機１２１から生成された三角波と上記誤差増幅部１１の出力値を比較してデューティが定められたパルス信号を生成する比較機１２２を含む。また、上記過電圧保護部１３はランプに印加される電圧に相応するフィードバック電圧と、既に設定された基準電圧Ｖｒｅｆ２を比較する比較部１３２からなる。
【０００６】
上記のような回路構造を有する従来のＬＣＤバックライトインバータは、誤差増幅部１１でランプ電流に相応するフィードバック電圧を基準電圧Ｖｒｅｆ１と同一であるよう制御し、これによりランプ制御パルス生成部１２で該当デューティのパルス信号を生成することで、ランプに提供される電流を一定に制御する。また、開放ランプ状態になる等の過度電圧印加状態になると、過電圧保護部１３は該過度電圧が印加されることを判断しランプに提供される電流を遮断する過電圧保護信号を出力することになる。
【０００７】
上記のような従来の過電圧保護機能を有するＬＣＤバックライトインバータは、ランプに過度な電圧が印加される場合にも、誤差増幅部１１及びランプ制御パルス生成部１２を通じて正常状態のようにランプ制御のためのパルス信号がランプ側に提供される。通常ランプは、開放ランプ状態のような異常状態で求められる電圧仕様を有し、これを開放電圧（ｏｐｅｎ  ｖｏｌｔａｇｅ）という。即ち、ランプの寿命を最大に保障するためには、開放ランプ状態または過電圧印加状態のような異常状態でランプ自体が有する電圧仕様である開放電圧が印加されるよう制御されないとランプの寿命が短縮されることを防ぐことが出来ない。しかし、前述のように過電圧印加時、従来のＬＣＤバックライトインバータは、ランプに提供される電流が完全に遮断される前まで正常状態のパルス制御が行われるため、開放電圧を提供することが出来ない。従って、従来のＬＣＤバックライトインバータは、過電圧印加状態でランプが破損したりランプの寿命を短縮させるという問題点がある。
【発明の開示】
【発明が解決しようとする課題】
【０００８】
本発明は、前述の従来技術の問題点を解決するため提案されたものであって、その目的は、ランプが開放状態になったり過度電圧印加状態になった時、ランプに提供される電流が遮断されるまでランプに開放電圧を提供することにより、ランプの破損または寿命短縮を防ぐことが出来るＬＣＤバックライトインバータを提供することにある。
【課題を解決するための手段】
【０００９】
上記の目的を達成するための技術的構成として、本発明は、
ランプに流れる電流に相応する第１検出電圧と既に設定された第１基準電圧が入力され相互を比較してその誤差に該当する第１誤差電圧を出力する第１誤差増幅部と、
上記ランプに印加される電圧に相応する第２検出電圧と既に設定された第２基準電圧が入力され相互を比較してその誤差に該当する第２誤差電圧を出力する第２誤差増幅部と、
上記第２検出電圧が既に設定された第３基準電圧より大きい場合、上記第１検出電圧が入力される上記第１誤差増幅部の入力端を接地させ上記第２検出電圧が上記第２誤差増幅部に入力されるようにし、上記第２検出電圧が上記第３基準電圧より小さい場合、上記第１検出電圧が上記第１誤差増幅部に入力されるようにし上記第２検出電圧が入力される上記第２誤差増幅部の入力端を接地させるフィードバック選択部と、
上記第１誤差電圧及び上記第２誤差電圧のうち一つによりデューティが制御されたパルス信号を生成するランプ制御パルス生成部と、
を含むＬＣＤバックライトインバータを提供する。
【００１０】
好ましく、上記第１誤差増幅部は、上記第１検出電圧が反転入力端から印加され、上記第１基準電圧が非反転入力端から印加される第１誤差増幅機と、上記第１誤差増幅機の反転入力端と出力端との間に連結されたキャパシタとを含むことが出来る。
【００１１】
これと類似に、上記第２誤差増幅部は、上記第２検出電圧が反転入力端から印加され、上記第２基準電圧が非反転入力端から印加される第２誤差増幅機と、上記第２誤差増幅機との反転入力端と出力端との間に連結されたキャパシタとを含むことが好ましい。
【００１２】
好ましく、上記フィードバック選択部は、上記第２検出電圧と上記第３基準電圧を比較して上記第２検出電圧が大きい場合ハイ信号を出力する第１比較機と、上記第１比較機の出力がハイの場合、上記第１検出電圧が印加される上記第１誤差増幅部の入力端を接地させる第１スイッチと、上記第１比較機の出力がローの場合、上記第２検出電圧が印加される上記第２誤差増幅部の入力端を接地させる第２スイッチとを含むことが出来る。
【００１３】
また、上記第１誤差増幅部は、その入力端のうち一つが接地された場合出力端の抵抗が無限大になり、上記第２誤差増幅部はその入力端のうち一つが接地された場合出力端の抵抗が無限大になることが好ましい。
【００１４】
好ましく、上記ランプ制御パルス生成部は、所定の周波数の三角波を生成する三角波発振機と、上記第１誤差電圧及び第２誤差電圧のうち一つと上記三角波発振機から出力される三角波を比較して、その比較結果によりデューティが定められたパルス信号を生成する第２比較部とを含むことが出来る。
【発明の効果】
【００１５】
本発明によると、ＬＣＤバックライトのランプに過度な電圧が印加された場合、ランプをショットダウンさせるまでランプが要求する電圧仕様である開放電圧（ｏｐｅｎ  ｖｏｌｔａｇｅ）値がランプに印加されることにより、ランプの損傷及び寿命短縮を防ぐことが出来る優れた効果がある。
【発明を実施するための最良の形態】
【００１６】
以下、添付の図面を参照に本発明の様々な実施形態をさらに詳しく説明する。しかし、本発明の実施形態は他の形態に変形されることができ、本発明の範囲が以下に説明される実施形態に限定されるのではない。本発明の実施形態は、本発明が属する技術分野において通常の知識を有している者に本発明をより完全に説明するため提供される。従って、図面に図示された構成要素の形状及び大きさなどは、より明確な説明のため誇張されることができ、図面上で実質的に同一な構成と機能を有する構成要素は同一参照符号を使用する。
【００１７】
図２は、本発明の一実施形態によるＬＣＤバックライトインバータの回路図である。
【００１８】
図２を参照すると、本発明によるＬＣＤバックライトインバータは、上記目的を達成するため、第１誤差増幅部２１、第２誤差増幅部２２、フィードバック選択部２３及びランプ制御パルス生成部２４を含んで構成される。
【００１９】
上記第１誤差増幅部２１は、ランプ（未図示）に流れる電流に相応する第１検出電圧と既に設定された第１基準電圧Ｖｒｅｆ１が入力され相互を比較してその誤差に該当する第１誤差電圧を出力する。上記第１検出電圧はランプに流れる電流（ランプ電流）により変動される電圧値を有する。例えば、ランプ電流が増加すると上記第１検出電圧は増加し、ランプ電流が減少すると上記第１検出電圧は減少するよう設定することが出来る。従って、ランプの駆動に適切なランプ電流に該当する第１検出電圧値と上記第１基準電圧Ｖｒｅｆ１とは実質的に同一値を有するよう定められることができ、これを通じて上記第１検出電圧が上記第１基準電圧Ｖｒｅｆ１と同一値を有するよう制御されることが出来る。
【００２０】
上記第１誤差増幅部２１は、上記第１検出電圧が反転入力端から印加され、上記第１基準電圧Ｖｒｅｆ１が非反転入力端から印加される第１誤差増幅機２１１及び上記第１誤差増幅機２１１の反転入力端と出力端との間に連結されたキャパシタ２１２を含むことが好ましい。
【００２１】
上記第２誤差増幅部２１は、上記ランプ（未図示）に印加される電圧に相応する第２検出電圧と既に設定された第２基準電圧Ｖｒｅｆ２が入力され相互を比較してその誤差に該当する第２誤差電圧を出力する。上記第１誤差増幅部２１と類似に、第２検出電圧はランプに印加される電圧（ランプ電圧）により変動される電圧値を有する。即ち、適切な第２基準電圧Ｖｒｅｆ２の値を設定することにより、第２検出電圧が第２基準電圧Ｖｒｅｆ２と同一値を有するよう制御される。
【００２２】
上記第２誤差増幅部２２は上記第２検出電圧が反転入力端から印加され、上記第２基準電圧Ｖｒｅｆ２が非反転入力端から印加される第２誤差増幅機２２１及び上記第２誤差増幅機２２１の反転入力端と出力端との間に連結されたキャパシタ２２２を含むことが好ましい。
【００２３】
上記第１誤差増幅部２１は、ランプがオープン状態になったりランプに過度電圧が印加されたりしない正常状態でランプ電流を制御するためのもので、上記第２誤差増幅部２２はランプがオープン状態になったりランプに過度電圧が印加される異常状態でランプ電圧を制御するためのものである。従って、上記第１及び第２誤差増幅部２１，２２はフィードバック選択部２３により選択的に動作される。
【００２４】
上記フィードバック選択部２３は、ランプ電圧に相応する上記第２検出電圧が既に設定された第３基準電圧Ｖｒｅｆ３より大きい場合、上記第１検出電圧が入力される上記第１誤差増幅部２１の入力端を接地させ上記第２検出電圧が上記第２誤差増幅部２２に入力されるようにし、上記第２検出電圧が上記第３基準電圧より小さい場合、上記第１検出電圧が上記第１誤差増幅部２１に入力されるようにし上記第２検出電圧が入力される上記第２誤差増幅部２２の入力端を接地させる。上記第３基準電圧Ｖｒｅｆは、ランプに印加される電圧が正常状態なのか異常状態なのかを判別するための基準になる電圧である。
【００２５】
言い換えると、上記第２基準電圧Ｖｒｅｆ２は、ランプが異常状態であるときランプを駆動するためにランプに印加される電圧を決定するための基準電圧である反面、上記第３基準電圧Ｖｒｅｆ３は、現在ランプに印加される電圧が正常なのか過度電圧なのかを判断するための電圧である。従って、上記フィードバック選択部２３は、ランプに印加される電圧に相応する第２検出電圧と第３基準電圧Ｖｒｅｆ３を比較して、第２検出電圧が第３基準電圧Ｖｒｅｆ３より小さい場合、ランプに印加された電圧が正常状態であると判断し上記第１誤差増幅部２１を動作させランプ電流を制御するようにし、第２検出電圧が第３基準電圧Ｖｒｅｆ３より大きい場合、ランプに過度電圧が印加されたものと判断し上記第２誤差増幅部２２を動作させランプ電圧を制御するようにする。
【００２６】
好ましく、上記フィードバック選択部２３は、上記第２検出電圧と上記第３基準電圧Ｖｒｅｆ３を比較して上記第２検出電圧がより大きい場合、ハイ信号を出力する第１比較機２３１と、上記第１比較機２３１の出力がハイの場合、上記第１検出電圧が印加される上記第１誤差増幅部２１の入力端を接地させる第１スイッチ２３２と、上記第１比較機２３１の出力がローの場合、上記第２検出電圧が印加される上記第２誤差増幅部２２の入力端を接地させる第２スイッチ２３３とを含むことが好ましい。
【００２７】
上記ランプ制御パルス生成部２４は、上記第１誤差増幅部２１により生成された第１誤差電圧、及び上記第２誤差増幅部２２により生成された第２誤差電圧のうち一つによりデューティが制御されたパルス信号を生成する。該第１誤差電圧または第２誤差電圧によりデューティが制御されたパルス信号によってランプ電流またはランプ電圧が制御される。
【００２８】
上記ランプ制御パルス生成部２４は、所定の周波数の三角波を生成する三角波発振機２４１及び上記第１誤差電圧及び第２誤差電圧のうち一つと上記三角波発振機から出力される三角波とを比較して、その比較結果によりデューティが定められたパルス信号を生成する第２比較部２４２を含むことが好ましい。
【００２９】
このようにランプ制御パルス生成部２４に上記第１誤差電圧及び第２誤差電圧のうち一つが選択的に提供されるため、上記第１誤差増幅部２１と第２誤差増幅部２２は入力端のうち一つが接地された場合、出力端の抵抗が無限大になるという特徴を有することが好ましい。
【００３０】
以下、本発明の一実施形態によるＬＣＤバックライトインバータの動作を図２を参照にさらに詳しく説明する。
【００３１】
先ず、ランプ（未図示）に過度電圧が印加されない正常状態での動作を説明する。過度電圧が印加されない正常状態のとき、ランプに印加される電圧に相応する第２検出電圧がフィードバック選択部２３の第１比較機２３１に入力され、既に設定された第３基準電圧Ｖｒｅｆ３と比較される。正常状態で上記第２検出電圧は第３基準電圧Ｖｒｅｆ３より小さい値を有するため、上記第１比較機２３１の出力はロー（ｌｏｗ）である。従って、第１誤差増幅部２１の入力と接地との間に連結された第１スイッチ２３２はオフ（開放）状態になり、第２誤差増幅部２２の入力と接地との間に連結された第２スイッチ２３３にはインバータ２３４によりハイ（ｈｉｇｈ）信号が入力されるためオン（短絡）状態になる。これによって、第２誤差増幅部２２の入力端は接地状態になり、第２誤差増幅部２２の出力端の抵抗が無限大になる。即ち、正常状態では第２誤差増幅部２２の出力端の抵抗が無限大になるため、第１誤差増幅部２１による第１誤差信号によってインバータが動作することになる。
【００３２】
第１誤差増幅部２１には、入力されたランプ電流に相応する第１検出電圧と既に設定された第１基準電圧Ｖｒｅｆ１を比較してその誤差に該当する第１誤差信号を出力する。該第１誤差信号は、ランプ制御パルス生成部２４の第２比較機２４２に入力され三角波発振機２４１から出力される所定の周期の三角波と比較され、上記第２比較機２４２は比較結果により定められたデューティを有するパルス信号を生成してランプに出力する。
【００３３】
例えば、上記第１検出電圧が第１基準電圧Ｖｒｅｆ１より大きい場合、上記第１誤差増幅部２１から出力される第１誤差信号のレベルが減少する（第１検出電圧が誤差増幅機２１１の反転入力端から入力されるため）。
【００３４】
上記ランプ制御パルス生成部２４は、非反転入力端から入力される第１誤差信号と三角波発振機２４１から出力される所定の周期の三角波を比較することになるが、上記三角波のうち第１誤差信号より小さい値でハイ状態になるパルス信号を生成する。
【００３５】
即ち、第１誤差信号のレベルが減少すると、第１誤差信号のレベルより小さい値を有する三角波の範囲がさらに狭くなるため、ランプ制御パルス生成部２４から出力されるパルス信号のデューティは減少する。結果的に、第１検出電圧が第１基準電圧Ｖｒｅｆ１より大きい場合、ランプ制御パルス生成部２４から出力されるパルス信号のデューティが減少するためランプ電流が減少する。
【００３６】
一方、第１検出電圧が第１基準電圧Ｖｒｅｆ１より小さい場合には、その反対の動作を通じてランプ制御パルス生成部２４から出力されるパルス信号のデューティを増加させランプ電流を増加させることになる。
【００３７】
次に、ランプ（未図示）に過度電圧が印加される異常状態での動作を説明する。過度電圧が印加される異常状態の時、ランプに印加される電圧に相応する第２検出電圧がフィードバック選択部２３の第１比較機２３１に入力され、既に設定された第３基準電圧Ｖｒｅｆ３と比較される。上記第３基準電圧Ｖｒｅｆ３は過度電圧を判断するための臨界値に相応する値を有するため、異常状態で上記第２検出電圧は第３基準電圧Ｖｒｅｆ３より大きい値を有する。従って、上記第１比較機２３１の出力はハイ（ｈｉｇｈ）になり、第１誤差増幅部２１の入力と接地との間に連結された第１スイッチ２３２はオン（短絡）状態になり、第２誤差増幅部２２の入力と接地との間に連結された第２スイッチ２３３にはインバータ２３４によりロー（ｌｏｗ）信号が入力されるためオフ（開放）状態になる。これによって、第１誤差増幅部２１の入力端は接地状態になり、第１誤差増幅部２１の出力端の抵抗が無限大になる。即ち、異常状態では第１誤差増幅部２１の出力端の抵抗が無限大になるため、第２誤差増幅部２２による第２誤差信号によりインバータが動作することになる。
【００３８】
第２誤差増幅部２１には、入力されたランプ電圧に相応する第２検出電圧と既に設定された第２基準電圧Ｖｒｅｆ２を比較してその誤差に該当する第２誤差信号を出力する。該第２基準電圧Ｖｒｅｆ２は、ランプが開放されたりランプに過度電圧が印加された状態で、ランプの電圧仕様により提供すべき開放電圧（ｏｐｅｎ  ｖｏｌｔａｇｅ）に相応する値に決定されることが出来る。従って、第２基準電圧Ｖｒｅｆ２によりランプ電圧が制御される場合には、ランプに印加される電圧が開放電圧値を維持するよう制御される。即ち、第１誤差増幅部２１による制御と類似に、上記第２誤差信号がランプ制御パルス生成部２４の第２比較機２４２に入力され、三角波発振機２４１から出力される所定の周期の三角波と比較され、上記第２比較機２４２は比較結果により定められたデューティを有するパルス信号を生成してランプへ出力する。上記第２比較機２４２で行われる三角波と上記第２誤差信号によるパルスデューティ制御に関する説明は、上記三角波と上記第１誤差信号によるパルスデューティ制御と同一であるため詳しい説明は省略する。
【００３９】
このように、従来のＬＣＤバックライトインバータでは、ランプが開放状態になったりランプに過度電圧が印加された場合、正常状態のようなランプ制御が行われることにより、ランプの寿命が短縮される反面、本発明はランプが開放状態になったりランプに過度電圧が印加された場合、ランプのショットダウンが行われるまでランプに設定された電圧仕様である開放電圧をランプに印加することが出来ることで、ランプの破損または寿命短縮を予防することが可能になる。
【図面の簡単な説明】
【００４０】
【図１】従来のＬＣＤバックライトインバータの回路図である。
【図２】本発明の一実施形態によるＬＣＤバックライトインバータの回路図である。
【符号の説明】
【００４１】
２１  第１誤差増幅部
２２  電流フィードバック遮断部
２３  第２誤差増幅部
２４  ランプ制御パルス生成部
【図１】
2011181521.tif 000003
【図２】
2011181521.tif 000004
【手続補正書】
【提出日】平成23年7月8日(2011.7.8)
【手続補正１】
【補正対象書類名】特許請求の範囲
【補正対象項目名】全文
【補正方法】変更
【補正の内容】
【特許請求の範囲】
【請求項１】
ランプに流れる電流に相応する第１検出電圧と既に設定された第１基準電圧とが入力され、それらを比較してその誤差に該当する第１誤差電圧を出力する第１誤差増幅部と、
前記ランプに印加される電圧に相応する第２検出電圧と既に設定された第２基準電圧とが入力され、それらを比較してその誤差に該当する第２誤差電圧を出力する第２誤差増幅部と、
前記第２検出電圧が、正常状態なのか異常状態なのかを判別する基準となる既に設定された第３基準電圧より大きい場合、前記第２検出電圧を前記第２誤差増幅部に入力させるとともに、前記第２検出電圧が前記第３基準電圧より小さい場合、前記第１検出電圧を前記第１誤差増幅部に入力させるフィードバック選択部と、
前記第１誤差電圧及び前記第２誤差電圧のうち一つによりデューティが制御されたパルス信号を生成するランプ制御パルス生成部と、
を含むＬＣＤバックライトインバータ。
【請求項２】
前記第１誤差増幅部は、
前記第１検出電圧が反転入力端に印加され前記第１基準電圧が非反転入力端に印加される第１誤差増幅機と、
前記第１誤差増幅機の反転入力端と出力端との間に連結されたキャパシタを含むことを特徴とする請求項１に記載のＬＣＤバックライトインバータ。
【請求項３】
前記第２誤差増幅部は、
前記第２検出電圧が反転入力端に印加され前記第２基準電圧が非反転入力端に印加される第２誤差増幅機と、
前記第２誤差増幅機の反転入力端と出力端との間に連結されたキャパシタを含むことを特徴とする請求項１または２に記載のＬＣＤバックライトインバータ。
【請求項４】
前記フィードバック選択部は、
前記第２検出電圧と前記第３基準電圧を比較して、前記第２検出電圧が前記第３基準電圧より大きい場合ハイ信号を出力し、前記第２検出電圧が前記第３基準電圧より小さい場合ロー信号を出力する第１比較機と、
前記第１比較機の出力がハイの場合、前記第１検出電圧が印加される前記第１誤差増幅部の入力端を接地させる第１スイッチと、
前記第１比較機の出力がローの場合、前記第２検出電圧が印加される前記第２誤差増幅部の入力端を接地させる第２スイッチと、を含むことを特徴とする請求項１から３のいずれか１項に記載のＬＣＤバックライトインバータ。
【請求項５】
前記第２基準電圧は、前記ランプが異常状態になった場合、シャットダウンされるまで前記ランプに印加される開放電圧である請求項１から４のいずれか１項に記載のＬＣＤバックライトインバータ。
【請求項６】
前記ランプ制御パルス生成部は、
三角波を生成する三角波発振機と、
前記第１誤差電圧及び第２誤差電圧のうちいずれか一つと前記三角波発振機から出力される三角波を比較して、その比較結果によりデューティが定められたパルス信号を生成する第２比較部と、を含むことを特徴とする請求項１から５のいずれか１項に記載のＬＣＤバックライトインバータ。
【請求項７】
前記フィードバック選択部は、
前記第２検出電圧が、前記第３基準電圧より大きい場合、前記第１検出電圧が入力される前記第１誤差増幅部の入力端を接地するように制御して、
前記第２検出電圧が、前記第３基準電圧より小さい場合、前記第２検出電圧が入力される前記第２誤差増幅部の入力端を接地するように制御する
請求項１から６のいずれか１項に記載のＬＣＤバックライトインバータ。
【請求項８】
ランプに印加される電圧に相応する第２検出電圧と正常状態なのか異常状態なのかを判別する基準となると第３基準電圧をと比較する段階と、
前記第２検出電圧が前記第３基準電圧より小さい場合、前記ランプに流れる電流に相応する第１検出電圧と既に設定された第１基準電圧とを比較して、その誤差に該当する第１誤差電圧を出力する段階と、
前記第２検出電圧が前記第３基準電圧より大きい場合、前記第２検出電圧と既に設定された第２基準電圧とを比較して、その誤差に該当する第２誤差電圧を出力する段階と、
前記第１誤差電圧及び前記第２誤差電圧のうちいずれか一つによりデューティが制御されたパルス信号を生成する段階と、
を含むＬＣＤバックライトインバータの動作方法。
【請求項９】
前記第２基準電圧は、前記ランプが異常状態になった場合、シャットダウンされるまで前記ランプに印加される開放電圧である請求項８に記載のＬＣＤバックライトインバータの動作方法。